(57)【要約】      （修正有）【課題】ＬＳＩチップ内の各機能ブロックに対する異なった電源電圧を使用する場合において各機能ブロックの動作電流の最適化とスタンバイ時のリーク電流を削減すること。【解決手段】ＬＳＩチップ内の各機能ブロック１１，１２と、この各機能ブロックに選択接続される電圧値の異なった複数の電源配線ＶＤＤ１〜ＶＤＤ３と、この各電源配線からの電源電圧を各機能ブロックに合わせて選択し接続する電圧切換制御手段１０とを備える。各機能ブロック１１，１２は、自ら必要とする電源電圧を選択接続するための電圧設定制御信号を電圧切換制御手段１０に送り込む。電圧切換制御手段１０は、前記各機能ブロック１１，１２から送り込まれる電圧設定制御信号に基づいて作動し当該各機能ブロック１１，１２が必要とする電圧の電源配線を当該各機能ブロックに選択接続する。【選択図】図１
2007194456.tif 000002
【特許請求の範囲】
【請求項１】
各種演算機能を実行する集積回路から成る複数の機能ブロックと、この各機能ブロックに選択接続される電圧値の異なった複数の電源配線と、この各電源配線から前記各機能ブロックに供給する電源電圧を前記各機能ブロックに合わせて当該各機能ブロック毎に選択し接続する電圧切換制御手段とを備え、
前記各機能ブロックは、自ら必要とする電源電圧を選択接続するための電圧設定制御信号をそれぞれ前記電圧切換制御手段に送り込む制御信号出力機能を有すると共に、
前記電圧切換制御手段が、前記各機能ブロックから送り込まれる電圧設定制御信号に基づいて作動し当該各機能ブロックが必要とする電圧の電源配線を当該各機能ブロックに選択接続する切換え制御部を備えていることを特徴とした半導体集積回路装置。
【請求項２】
前記請求項１に記載の半導体集積回路装置において、
前記電圧切換制御手段は、前記複数の電源配線をそれぞれ前記各機能ブロック毎に対応させて分岐した配線分岐回路を備えると共に、
この電圧切換制御手段の切換え制御部が、対応する前記各機能ブロックから送り込まれる電圧設定制御信号に基づいて作動し前記各分岐回路毎に有する複数の電源配線内の何れか一つの配線を個別に選択し接続することを特徴とした半導体集積回路装置。
【請求項３】
前記請求項１に記載の半導体集積回路装置において、
前記電圧切換制御手段の電源入力側に、外部から送り込まれる単一の電源電圧を電圧値の異なった複数の電源電圧に分圧すると共に当該電圧値の異なる複数の電源電圧を前記複数の各電源配線を介して出力する電源電圧生成回路を装備したことを特徴とする半導体集積回路装置。
【請求項４】
前記請求項３に記載の半導体集積回路装置において、
前記各機能ブロックは、前記電源電圧生成回路が複数の電源電圧に分圧するに際して所望する電源電圧にかかる電圧設定制御信号を分圧制御信号として送り込む分圧制御信号出力機能を有すると共に、
前記電源電圧生成回路は、前記各機能ブロックからの分圧制御信号に基づいて作動し前記各機能ブロックが必要とする電源電圧を含む複数の電源電圧に分圧し対応する複数の電源配線を介して前記電圧切換制御手段に送り込む複数電圧出力機能を備えていることを特徴とする半導体集積回路装置。
【請求項５】
前記請求項３に記載の半導体集積回路装置において、
前記電源電圧生成回路は、外部入力される複数の分圧制御信号に基づいて作動し前記各機能ブロックが必要とする電源電圧を含む複数の電源電圧に分圧し対応する複数の電源配線を介して前記電圧切換制御手段に送り込む複数電圧出力機能を備えていることを特徴とする半導体集積回路装置。
【請求項６】
前記請求項３，４又は５に記載の半導体集積回路装置において、
前記各機能ブロックが有する電源電圧設定用の設定信号出力機能に代えて、前記各機能ブロックが必要とする電源電圧にかかる電圧設定制御信号をそれぞれ予め別に装備された制御信号入力手段から入力し前述した前記電圧切換制御手段に送り込む構成としたことを特徴とする半導体集積回路装置。
【請求項７】
各種演算機能を実行する集積回路から成る複数の機能ブロックがそれぞれ所望する電源電圧を予め併設された複数の電源配線から電圧切換制御手段を介して選択接続し入力する集積回路用電源入力方法において、
前記複数の各機能ブロックが所望する電源電圧にかかる電圧設定制御信号をそれぞれ前記電圧切換制御手段に送り込む第１の工程と、
この各機能ブロックから送り込まれる電圧設定制御信号に基づいて前記電圧切換制御手段が作動し当該各機能ブロックが必要とする電圧の電源配線を当該各機能ブロックに選択接続する第２の工程とを備えていることを特徴とした集積回路用電源入力方法。
【請求項８】
前記請求項７に記載の集積回路用電源入力方法において、
前記第１の工程に先立って、外部から送り込まれる単一の電源電圧を予め装備した電源電圧生成回路によって複数の機能ブロックの電源用として電圧値の異なった複数の電源電圧に分圧すると共に当該複数の電源電圧を複数の各電源配線を介して出力する電源電圧用分圧工程を備えたことを特徴とする集積回路用電源入力方法。
【請求項９】
前記請求項８に記載の集積回路用電源入力方法において、
前記電源電圧分圧工程に先立って、前記各機能ブロックが、前記電源電圧生成回路による電源分圧動作に際して所望する電源電圧にかかる電圧設定制御信号を分圧制御信号として前記電源電圧生成回路に送り込む分圧制御信号出力工程を設け、
前記電源電圧分圧工程では、前記電源電圧生成回路が各機能ブロックから送り込まれる分圧制御信号に基づいて作動し、外部から送り込まれる単一の電源電圧を前記各機能ブロックが必要とする複数の電源電圧に分圧し複数の電源配線を介して個別に前記電圧切換制御手段に送り込むようにしたことを特徴とする集積回路用電源入力方法。
【請求項１０】
前記請求項８に記載の集積回路用電源入力方法において、
前記電源電圧分圧工程に先立って、前記電源電圧生成回路による電源分圧動作に際して所望する電源電圧にかかる電圧設定制御信号を分圧制御信号として外部から当該電源電圧生成回路に取り込む分圧制御信号導入工程を設け、
前記電源電圧分圧工程では、この外部から送り込まれた所定の分圧制御信号に基づいて作動し、外部から送り込まれる単一の電源電圧を前記各機能ブロックが必要とする複数の電源電圧に分圧し複数の電源配線を介して個別に前記電圧切換設定手段に送り込むようにしたことを特徴とする集積回路用電源入力方法。
【請求項１１】
前記請求項８，９又は１０に記載の集積回路用電源入力方法において、
前記第２の工程を、外部入力される電圧設定制御信号に基づいて前記電圧切換制御手段が作動し当該各機能ブロックが必要とする電圧の電源配線を当該各機能ブロックに選択接続する第２の工程、としたことを特徴とする集積回路用電源入力方法。
【請求項１２】
各種演算機能を実行する集積回路から成る複数の機能ブロックが必要とする電源電圧にかかる電圧設定制御信号を予め前記各機能ブロックで生成する電圧設定用制御信号生成処理と、
この生成された電圧設定制御信号を予め装備された電圧切換制御手段に送り込む制御信号伝送処理と、
前記各機能ブロックから送り込まれる電圧設定制御信号に基づいて前記電圧切換制御手段を作動させて当該電圧切換制御手段に予め併設された異なった複数の電源配線の内から前記各機能ブロックが必要とする電圧の電源配線を当該各機能ブロックに選択接続する電源切換え接続処理と、
をコンピュータに実行させるようにしたことを特徴とする集積回路用電源入力プログラム。
【請求項１３】
各種演算機能を実行する集積回路から成る複数の機能ブロックが必要とする電源電圧にかかる複数の電圧設定制御信号が外部入力された場合にこれを保持する電圧設定用制御信号入力処理と、
この外部入力された複数の電圧設定制御信号を予め装備された電圧切換制御手段に送り込む制御信号伝送処理と、
前記外部入力された電圧設定制御信号に基づいて前記電圧切換制御手段を作動させて当該電圧切換制御手段に予め併設された異なった複数の電源配線の内から前記各機能ブロックが必要とする電圧の電源配線を当該各機能ブロックに選択接続する電源切換え接続処理と、
をコンピュータに実行させるようにしたことを特徴とする集積回路用電源入力プログラム。
【請求項１４】
前記請求項１２又は１３に記載の集積回路用電源入力プログラムにおいて、
前記複数の各機能ブロックが所望する複数の電源電圧を単一の電源電圧から生成するための複数の分圧制御信号を予め前記各機能ブロックで生成する分圧信号生成処理と、
この生成された分圧制御信号を予め装備された電源電圧生成回路に送り込む分圧制御信号伝送処理と、
前記各機能ブロックから送り込まれる分圧制御信号に基づいて前記電源電圧生成回路を作動させると共にこの電源電圧生成回路が前記単一の電源電圧を前記各機能ブロック用として複数の電源電圧に変換し前記電圧切換制御手段に向けて出力するのを制御する電圧変換え制御処理と、
をコンピュータに実行させるようにしたことを特徴とする集積回路用電源入力プログラム。
【請求項１５】
前記請求項１２又は１３に記載の集積回路用電源入力プログラムにおいて、
前記複数の各機能ブロックが所望する複数の電源電圧を単一の電源電圧から生成するための複数の分圧制御信号を外部入力し保持する分圧制御信号入力処理と、
この入力された分圧制御信号を予め装備された電源電圧生成回路に送り込む分圧制御信号導入処理と、
前記各機能ブロックから送り込まれる分圧制御信号に基づいて前記電源電圧生成回路を作動させると共にこの電源電圧生成回路が前記単一の電源電圧を前記各機能ブロック用として複数の電源電圧に変換し前記電圧切換制御手段に向けて出力するのを制御する電圧変換制御処理と、
をコンピュータに実行させるようにしたことを特徴とする集積回路用電源入力プログラム。
【発明の詳細な説明】
【技術分野】
【０００１】
本発明は、半導体集積回路装置，集積回路用電源入力方法，および集積回路用の電源入力プログラムに係り、特に複数の各半導体集積回路が必要とする動作用の電源を最適なものに設定することを可能とした半導体集積回路装置，集積回路用電源入力方法，および集積回路用の電源入力プログラムに関する。
【背景技術】
【０００２】
図６に従来例を示す。
この図６に示す従来例では、ＬＳＩチップ１００の中にいくつかの機能ブロック１０１，１０２が存在し、各機能ブロック１０１，１０２が電源電圧Ｖddで作動する場合が示されている。この場合、電源電圧ＶＤＤは、機能ブロック１０１，１０２の双方の動作状態を考慮しながら決定する必要がある。例えば、一方の機能ブロック１０１が動作状態で他方の機能ブロック１０２がスタンバイ状態の場合、電源電圧ＶＤＤは、動作状態にある一方の機能ブロック１０１に合わせて決定される。このため、他方の機能ブロック１０２へも電源電圧ＶＤＤが供給されている状態が継続する。
これに対し、特許文献１に示すように、ＬＳＩチップ内の各機能ブロックの動作に合わせて異なった電源電圧を印加し、これによって消費電力を抑制するという手法のものもある。
【特許文献１】特開２００４−１１１６５９
【発明の開示】
【発明が解決しようとする課題】
【０００３】
しかしながら、上記図６に示す従来例にあっては、例えば、一方の機能ブロック１０１が動作状態で他方の機能ブロック２がスタンバイ状態の場合でも、電源電圧ＶＤＤは、一方の機能ブロック１０１に合わせて決定されるため、他方の機能ブロック１０２へも電源電圧ＶＤＤが供給されている状態が継続する。このため、他方の機能ブロック１０２が動作停止中であってもリーク電流が流れることとなる。このリーク電流は、トランジスタがオフ時のリーク電流であり、最近のＬＳＩの微細化（チップ化）により、無視できない値となっている。特に電池を電源とする携帯機器においては、機器の使用時間が短くなる等の問題が生じている。
更に、一方と他方の機能ブロック１０１，１０２が共に動作状態の場合は、どちらかのブロックが動作する最低動作電圧で電源電圧ＶＤＤを決める必要があることから、どちらか一方については、最適な動作電圧に設定されないという不都合が生じていた。
【０００４】
又、上記特許文献１にあっては、複数の電源回路を準備するものの各機能ブロックへの切り換えに際しては常に外部からの指令に基づいて当該切換え動作が実行されるようになっている。このため、各機能ブロックではその切換え動作が常に外部指令に依存することから、起動時の即応性に欠けるばかりでなく、他の機能ブロックと連係した切換え動作に際してはその都度外部指令に依存しなければならないことから、動作時の迅速性に欠けるという不都合があった。
【０００５】
本発明は、上記従来例の有する不都合を改善し、特に、ＬＳＩチップ内の各機能ブロックへ供給される異なった電源電圧を任意に且つ個別に切換える事で、各機能ブロックの動作電流の最適化とスタンバイ時のリーク電流の削減を可能とした半導体集積回路装置，集積回路用電源入力方法，および集積回路用の電源入力プログラムを提供することを、その目的とする。
【課題を解決するための手段】
【０００６】
上記目的を達成するため、本発明にかかる半導体集積回路装置では、各種演算機能を実行する集積回路から成る複数の機能ブロックと、この各機能ブロックに選択接続される電圧値の異なった複数の電源配線と、この各電源配線から前記各機能ブロックに供給する電源電圧を前記各機能ブロックに合わせて当該各機能ブロック毎に選択し接続する電圧切換制御手段とを備えている。
前述した各機能ブロックは、自ら必要とする電源電圧にかかる電圧設定制御信号をそれぞれ前記電圧切換制御手段に送り込む制御信号出力機能を有する。又、前述した電圧切換制御手段は、前記各機能ブロックから送り込まれる電圧設定制御信号に基づいて作動し当該各機能ブロックが必要とする電圧の電源配線を当該各機能ブロックに選択接続する切換え制御部を備えている、という構成を採っている（請求項１乃至６）。
【０００７】
このため、これによると、各機能ブロックは、設定信号出力機能を作動させて自ら必要とする電源電圧にかかる電圧設定制御信号をそれぞれ前記電圧切換制御手段に送り込むことにより、当該各機能ブロックで必要とする電源電圧を任意に且つ確実に取得することができ、これがため、必要に応じて例えばゼロボルトの電源線を設定しこれに接続することも可能となり、かかる点において、各機能ブロックの動作電流の最適化とスタンバイ時のリーク電流の低減を可能とすることができる。
【０００８】
ここで、前述した電圧切換制御手段は、前記複数の電源配線をそれぞれ前記各機能ブロック毎に対応させて分岐された複数の電源配線から成る複数の配線分岐回路を備える構成とし、この電圧切換制御手段の切換え制御部を、対応する各機能ブロックから送り込まれる電圧設定制御信号に基づいて作動し前記各配線分岐回路毎に有する複数の電源配線内の何れか一つの配線を個別に選択し接続するように構成してもよい（請求項２）。
このようにすることにより、複数の配線分岐回路を介して各機能ブロックには所望した電源電圧が接続され、各機能ブロックの動作電流の最適化が具体的に実行される。
【０００９】
又、前述した電圧切換制御手段の電源入力側に、外部から送り込まれる単一の電源電圧を電圧値の異なった複数の電源電圧に分圧すると共に当該電圧値の異なる複数の電源電圧を前記複数の各電源配線を介して出力する電源電圧生成回路を装備する構成としてもよい（請求項３）。
このようにすると、工場や家庭に施設された単一の電源電圧から、前述した各機能ブロックに適した電源電圧を生成することができ、当該集積回路装置の汎用性を格段に高める事ができるという利点がある。
【００１０】
更に、前述した各機能ブロックは、前記電源電圧生成回路が複数の電源電圧に分圧するに際して所望する電源電圧にかかる電圧設定制御信号を分圧制御信号として送り込む分圧制御信号出力機能を有する構成とする。そして、前述した電源電圧生成回路は、各機能ブロックからの分圧制御信号に基づいて作動し前記各機能ブロックが必要とする電源電圧を含む複数の電源電圧に分圧し対応する複数の電源配線を介して前記電圧切換制御手段に送り込む複数電圧出力機能を備えた構成としてもよい（請求項４）。
【００１１】
このようにすると、単一の電源電圧に対して、前述した各機能ブロックは、自ら所望する電源電圧を（分圧制御信号を出力することによって）自在に設定することができ、かかる点において、単一の電源電圧であっても、これに直接接続して電源電圧の異なった複数の機能ブロックを具体的に動作させることが可能となり、前述した汎用性を更に具体的に高めることができるという利点がある。
【００１２】
又、前述した電源電圧生成回路は、外部入力される複数の分圧制御信号に基づいて作動し前記各機能ブロックが必要とする電源電圧を含む複数の電源電圧に分圧し対応する複数の電源配線を介して前記電圧切換制御手段に送り込む複数電圧出力機能を備えた構成としてもよい（請求項５）。
このようにすると、各機能ブロックが分圧制御信号を生成する必要がなくなり、かかる点において、電源電圧生成回路の回路構成が単純化されて小型化および軽量化が可能となるとい利点がある。
【００１３】
更に、前述した各機能ブロックが有する電源電圧設定用の設定信号出力機能に代えて、前記各機能ブロックが必要とする電源電圧にかかる電圧設定制御信号をそれぞれ予め別に装備された入力手段から入力し前述した前記電圧切換制御手段に送り込む構成としてもよい（請求項６）。
このようにすると、周囲の使用環境の変化に合わせて動作電圧の変更設定等を行うことができ、かかる点において汎用性を高めることができるという利点がある。
【００１４】
次に、本発明にかかる集積回路用電源入力方法では、各種演算機能を実行する集積回路から成る複数の各機能ブロックがそれぞれ所望する電源電圧を予め併設された複数の電源配線から電圧切換制御手段を介して選択接続し入力する集積回路用電源入力方法において、前述した複数の各機能ブロックが所望する電源電圧にかかる電圧設定制御信号をそれぞれ前記電圧切換制御手段に送り込む第１の工程（電源電圧特定工程）と、この各機能ブロックから送り込まれる電圧設定制御信号に基づいて前記電圧切換制御手段が作動し当該各機能ブロックが必要とする電圧の電源配線を当該各機能ブロックに選択接続する第２の工程（電源切換接続工程）とを備えていることを特徴とする（請求項７乃至１１）。
【００１５】
このため、これによると、上記第１の工程と第２の工程が当該順序でほぼ同時発生的に実行されるので、各機能ブロックが自らが発した電圧設定制御信号によって所望する電源電圧を個別に且つ迅速に確保することができ、これにより、各機能ブロックの動作電流の最適化とスタンバイ時のリーク電流の低減が可能となるという利点がある。
【００１６】
ここで、前述した第１の工程に先立って、外部から送り込まれる単一の電源電圧を予め装備した電源電圧生成回路によって複数の各機能ブロックの電源用として電圧値の異なった複数の電源電圧に分圧すると共に当該複数の電源電圧を複数の各電源配線を介して出力する電源電圧用分圧工程を備えた構成としてもよい（請求項８）。
このようにすると、複数の各機能ブロックの電源電圧を外部操作によってリアルタイムで可変設定することができ、かかる点において、各機能ブロックの最適な電源電圧を自在に外部から可変設定する事ができるという利点がある。
【００１７】
又、前述した電源電圧分圧工程に先立って、前記各機能ブロックが、電源電圧生成回路による電源分圧動作に際して所望する電源電圧にかかる電圧設定制御信号を分圧制御信号として前記電源電圧生成回路に送り込む分圧制御信号出力工程を設ける。そして、前述した電源電圧分圧工程では、電源電圧生成回路が各機能ブロックから送り込まれる分圧制御信号に基づいて作動し、外部から送り込まれる単一の電源電圧を前記各機能ブロックが必要とする複数の電源電圧に分圧し複数の電源配線を介して個別に前記電圧切換制御手段に送り込むように構成してもよい（請求項９）。
【００１８】
このようにすると、各機能ブロックの動作電圧が異なっても、当該各機能ブロックから出力される分圧制御信号が有効に機能して単一の電源電圧から連続して所望の電源電圧を同時に個別に確保することができるという利点がある。
【００１９】
更に、前述した電源電圧分圧工程に先立って、前記電源電圧生成回路による電源分圧動作に際して所望する電源電圧にかかる電圧設定制御信号を分圧制御信号として外部から当該電源電圧生成回路に取り込む分圧制御信号導入工程を設ける。そして、前述した電源電圧分圧工程では、この外部から導入された所定の分圧制御信号に基づいて作動し前記各機能ブロックが必要とする複数の電源電圧に分圧し複数の電源配線を介して個別に前記電圧切換設定手段に送り込むように構成してもよい（請求項１０）。
【００２０】
このようにすると、各機能ブロックの動作電圧が異なっても、各機能ブロックに対応して外部入力される分圧制御信号が有効に機能して、単一の電源電圧から連続して所望の電源電圧を同時に個別に確保することができるという利点がある。
更に、各機能ブロック用の動作電圧を電源電圧生成回路の段階で外部操作によって任意に設定することができ、かかる点において、電源電圧の生成を外部操作によって任意に設定し得ることができ、外部から装置全体の動作状態を容易に把握することができるという利点がある。
【００２１】
又、前述した第２の工程を、外部入力される電圧設定制御信号に基づいて前記電圧切換制御手段が作動し当該各機能ブロックが必要とする電圧の電源配線を当該各機能ブロックに選択接続する第２の工程（電源切換接続工程）、としてもよい（請求項１１）。
このようにしても前述した集積回路用電源入力方法にかかる各発明と同等に機能する集積回路用電源入力方法を得ることができる。
【００２２】
次に、本発明にかかる集積回路用電源入力プログラムでは、各種演算機能を実行する集積回路から成る複数の機能ブロックが必要とする電源電圧にかかる電圧設定制御信号を予め各機能ブロックで生成する電圧設定用制御信号生成処理と、この生成された電圧設定制御信号を電圧切換制御手段に送り込む制御信号伝送処理と、各機能ブロックから送り込まれる電圧設定制御信号に基づいて前記電圧切換制御手段を作動させて当該電圧切換制御手段に予め併設された異なった複数の電源配線の内から前記各機能ブロックが必要とする電圧の電源配線を当該各機能ブロックに選択接続する電源切換え接続処理と、をコンピュータに実行させるように構成したことを特徴とする（請求項１２）。
【００２３】
このため、これによると上記各処理が連続して且つ同時発生的に実行されるので、各機能ブロックが自らが発した電圧設定制御信号によって必要とする電源電圧を個別に且つ迅速に確保することができ、これにより、各機能ブロックの動作電流の最適化とスタンバイ時のリーク電流の低減を同時に且つ迅速に成し得るという利点がある。
【００２４】
ここで、上述した複数の機能ブロックが必要とする電源電圧にかかる複数の電圧設定制御信号を、予め前記各機能ブロックで生成することなく外部から入力するように構成し、この外部入力される複数の電圧設定制御信号に基づいて対応する電源電圧の分圧処理を実行するように構成してもよい（請求項１３）。
【００２５】
又、前述した複数の各機能ブロックが所望する複数の電源電圧を単一の電源電圧から生成するための複数の分圧制御信号を予め前記各機能ブロックで生成する分圧信号生成処理と、この生成された分圧制御信号を予め装備された電源電圧生成回路に送り込む分圧制御信号伝送処理と、各機能ブロックから送り込まれる分圧制御信号に基づいて前記電源電圧生成回路を作動させると共にこの電源電圧生成回路が前記単一の電源電圧を各機能ブロック用として複数の電源電圧に変換し前記電圧切換制御手段に向けて出力するのを制御する電圧変換制御処理と、をコンピュータに実行させるようにしてもよい（請求項１４）。
このようにすると、各機能ブロックの動作電圧が異なっても、当該各機能ブロックから出力される分圧制御信号が有効に機能して単一の電源電圧から連続して所望の電源電圧を同時に個別に且つ迅速に確保することができるという利点がある。
【００２６】
更に、前述した複数の各機能ブロックが所望する複数の電源電圧を単一の電源電圧から生成するための複数の分圧制御信号を外部入力し保持する分圧制御信号入力処理と、この入力された分圧制御信号を予め装備された電源電圧生成回路に送り込む分圧制御信号伝送処理と、前記各機能ブロックから送り込まれる分圧制御信号に基づいて前記電源電圧生成回路を作動させると共にこの電源電圧生成回路が前記単一の電源電圧を各機能ブロック用として複数の電源電圧に変換し前記電圧切換制御手段に向けて出力するのを制御する電圧変換制御処理と、をコンピュータに実行させるように構成してもよい（請求項１５）。
【００２７】
このようにすると、各機能ブロックの動作電圧が異なっても、各機能ブロックに対応して外部入力される分圧制御信号が有効に機能して、単一の電源電圧から連続して所望の電源電圧を同時に個別に且つ迅速に確保することができる。更に、各機能ブロック用の動作電圧を電源電圧生成回路の段階で外部操作によって設定し得るので、電源電圧の生成を外部操作によって任意に且つ迅速に設定することができ、外部から装置全体の動作状態をリアルタイムで容易に且つ迅速に把握し調整することができるという利点がある。
【発明の効果】
【００２８】
本発明は、以上のように構成され機能するので、これによると、各種演算機能を実行する集積回路から成る複数の各機能ブロックで必要とする電源電圧を、任意に且つ確実に取得することができ、これがため、必要に応じて例えばゼロボルトの電源線を設定しこれに接続することも可能となり、かかる点において、各機能ブロックの動作電流の最適化とスタンバイ時のリーク電流の低減を可能とすることができるという従来にない優れた半導体集積回路装置，集積回路用電源入力方法，および集積回路用の電源入力プログラムを提供することができる。
【発明を実施するための最良の形態】
【００２９】
以下、本発明の実施形態を添付図面に基づいて説明する。
〔第１の実施形態〕
図１乃至図２にこれを示す。この図１乃至図２に示す半導体集積回路装置１は、ＬＳＩチップから成り、各種演算機能を実行する集積回路から成る二つの機能ブロック１１，１２と、この各機能ブロック１１，１２が必要とする動作電圧の電源を予め併設された三つの電源配線ＶＤＤ１〜ＶＤＤ３から一の電源配線を選択し接続する電圧切換制御手段１０とを備えている。電源配線ＶＤＤ１〜ＶＤＤ３は、前述した機能ブロック１１，１２が必要とする少なくとも三つの異なった電源電圧Ｖｄ１，Ｖｄ２，Ｖｄ３を供給し得るように設定されている。
ここで、前述した電圧切換制御手段１０は、各機能ブロック１１，１２から送り込まれる切換え制御信号に沿って動作するように構成されている。
【００３０】
各機能ブロック１１，１２は、自ら必要とする電源電圧にかかる電圧設定制御信号としての切換え制御信号ＣＯＮＴ１，ＣＯＮＴ２をそれぞれ生成して前述した電圧切換制御手
段１０に送り込む制御信号出力機能を有する。記号Ｃ１，Ｃ２は切替え制御信号ＣＯＮＴ１，
ＣＯＮＴ２を出力する出力端子を示す。
【００３１】
又、前述した電圧切換制御手段１０は、図２に示すように各機能ブロック１１，１２から送り込まれる切換え制御信号ＣＯＮＴ１，ＣＯＮＴ２に基づいて作動し当該各機能ブロック１１，１２が必要とする電圧の電源配線を当該各機能ブロック１１，１２に選択接続する切換え制御部１１Ａ，１２Ａと、この各切換え制御部１１Ａ，１２Ａに付勢されて作動し前記各電源配線ＶＤＤ１〜ＶＤＤ３の何れか一つを選択接続する配線分岐回路としての切換えスイッチ回路１１Ｂ，１２Ｂとを備えている。
【００３２】
ここで、各電源配線ＶＤＤ１〜ＶＤＤ３の各電圧Ｖｄ１乃至Ｖｄ３は、前述した各機能ブロック１１，１２が必要としている動作速度に応じて設定される電圧で、本実施形態にあっては、電源配線Ｖｄ１を高速動作可能な値の電圧とし、Ｖｄ２を低速動作可能な電圧でＶｄ２＜Ｖｄ１なる関係を備えた低い値の電圧とし、Ｖｄ３はＶｄ２より更に低い値，即ち各機能ブロック１１，１２がスタンバイ状態に設定可能な電圧に設定されている。
【００３３】
上述した切換えスイッチ回路１１Ｂ，１２Ｂは、それぞれ各機能ブロック１１，１２を上記各電源配線ＶＤＤ１〜ＶＤＤ３の何れか一つに選択接続する並設接続された三つの切換え端子ＳＷ１，ＳＷ２，ＳＷ３を備えて構成されている。
図２では、一方の機能ブロック１１は高速動作可能な値の電圧である電源配線ＶＤＤ１（電圧Ｖｄ１）を選択した場合が、又他方の機能ブロック１２が低速動作電圧である電源配線ＶＤＤ２（電圧Ｖｄ２）を選択した場合が、それぞれ示されている。
【００３４】
そして、この各電圧値は、前述したように機能ブロック１１，１２から出力される切換え制御信号ＣＯＮＴ１，ＣＯＮＴ２によって予め特定され、電圧切換制御手段１０はこれに合わせて各切換え制御部１１Ａ，１２Ａを作動させて電源配線ＶＤＤ１〜ＶＤＤ３の内の何れか一つを選択し接続するようになっている。
【００３５】
次に、上記実施形態の動作を説明する。
まず、各機能ブロック１１，１２は、電圧切換制御手段１０を介して自らが必要とする電源電圧を入力するために、前述したように切換え制御信号ＣＯＮＴ１，ＣＯＮＴ２を生成する。続いて各機能ブロック１１，１２は、制御信号出力機能を作動させて当該切換え制御信号ＣＯＮＴ１，ＣＯＮＴ２を前述した電圧切換制御手段１０に送り込む（電源電圧特定工程）。この場合、一方の機能ブロック１１は電源配線ＶＤＤ１を選択接続するための切換え制御信号ＣＯＮＴ１を生成し電圧切換制御手段１０に送り込むようになっている。又他方の機能ブロック１２は電源配線ＶＤＤ２を選択接続するための切換え制御信号ＣＯＮＴ２を生成し電圧切換制御手段１０に送り込むようになっている。
【００３６】
続いて、電圧切換制御手段１０では、各機能ブロック１１，１２から送り込まれる切換え制御信号ＣＯＮＴ１，ＣＯＮＴ２に基づいて作動し各機能ブロック１１，１２が必要とする電圧の電源配線ＶＤＤ１，ＶＤＤ２を当該各機能ブロック１１，１２に選択接続し（電源切換接続工程）、これによって当該各機能ブロック１１，１２には必要とする電源電圧Ｖｄ１，Ｖｄ２が供給される。
【００３７】
ここで、上述した各構成要素が実行する機能、例えば、各機能ブロック１１，１２が実行する動作電源の電源電圧にかかる切換え制御信号の生成および伝送処理、及び電圧切換制御手段１０が実行する電源切換え接続処理等については、これをプログラム化してコンピュータに実行させるように構成してもよい。
このように、本実施形態によると、各機能ブロック１１，１２は、設定信号出力機能を作動させて自ら必要とする電源電圧にかかる切換え制御信号ＣＯＮＴ１，ＣＯＮＴ２をそれぞれ前述した電圧切換制御手段１０に送り込むことにより、当該各機能ブロック１１，１２で必要とする電源電圧を任意に且つ確実に取得することができ、これがため、必要に応じて例えばゼロボルトの電源線を設定しこれに接続することも可能となり、かかる点において、各機能ブロックの動作電流の最適化とスタンバイ時のリーク電流の低減を可能とすることができる。
【００３８】
又、電圧切換制御手段１０は、前述したように電源配線ＶＤＤ１〜ＶＤＤ３を各機能ブロック１１，１２毎に対応させた配線分岐回路としての切換えスイッチ回路１１Ｂ，１２Ｂを備え、この電圧切換制御手段１０の前記切換え制御部１１Ａ，１２Ａにより、対応する各機能ブロック１１，１２から送り込まれる切換え制御信号ＣＯＮＴ１，ＣＯＮＴ２に基づいて各配線分岐回路（切換えスイッチ回路１１Ｂ，１２Ｂ）毎に有する複数の電源配線ＶＤＤ１〜ＶＤＤ３の内の何れか一つの配線が個別に選択され接続制御される。これがため、各切換えスイッチ回路１１Ｂ，１２Ｂを介して各機能ブロック１１，１２には実際に必要とする電源電圧が供給され、各機能ブロック１１，１２の動作電流の最適化が具体的に実行されることとなる。
【００３９】
（切換え制御信号の外部入力について）
次に、上記第１の実施形態における変形例として、上記図１における電圧切換制御手段１０の動作制御信号（切換え制御信号ＣＯＮＴ１，ＣＯＮＴ２）を外部入力する場合について説明する。
図３にこれを示す。この図３に示す半導体集積回路装置２は、前述した図１乃至図２の半導体集積回路装置１における電圧切換制御手段１０用の動作制御信号としての複数の切換え制御信号ＣＯＮＴ１，ＣＯＮＴ２を、各機能ブロック１１，１２で生成するのではなく、外部から入力するように構成とした点に特徴を有する。符号２Ａは制御信号入力手段を示す。その他の構成およびその機能，動作等は、前述した図１乃至図２の半導体集積回路装置１の場合と同一となっている。
【００４０】
ここで、上述した内容の内、電圧切換制御手段１０用の動作制御信号としての複数の切換え制御信号ＣＯＮＴ１，ＣＯＮＴ２を外部入力した場合に、これを保持する電圧設定用信号入力処理，保持した電圧設定よう制御信号を電圧切換制御手段に伝送する制御信号伝送処理，および各機能ブロック１１，１２が必要とする電圧の電源配線を当該各機能ブロック１１，１２に対して選択接続する電源切換え接続処理等をプログラム化し、これらをコンピュータに実行させるように構成してもよい。
この図３における変形例は、上述したように構成され機能するので、その基本的な作用効果としては前述した図１乃至図２の半導体集積回路装置１とほぼ同等の半導体集積回路装置２を得ることができるほか、更に、動作制御信号としての複数の切換え制御信号ＣＯＮＴ１，ＣＯＮＴ２を外部操作によって自在に可変設定し得るので、周囲の使用環境の変化に対応させて動作電圧の変更設定が可能となり、汎用性を高めることができる。
【００４１】
（上記第１実施形態の全体的なまとめ）
本第１の実施形態では、上述したように、ＬＳＩチップの中に複数の機能ブロック１１，１２が存在し、各機能ブロック１１，１２がそれぞれ異なった電源電圧ＶＤＤ１〜ＶＤＤ３で動作している場合、任意の切換え制御信号ＣＯＮＴ１，ＣＯＮＴ２により、各機能ブロック１１，１２へ供給される電源電圧ＶＤＤ１〜ＶＤＤ３を電圧切換制御手段１０で切り換える事で、各機能ブロック１１，１２の動作電流の最適化とスタンバイ時のリーク電流の削減を可能とするものである。
【００４２】
ここで、図１乃至図２では、各機能ブロック１１，１２が高速動作可能な電源電圧をＶｄ１とし、各機能ブロック１１，１２が低速動作可能な電源電圧をＶｄ１よりも低い値Ｖｄ２値とし、Ｖｄ３はＶｄ２より更に低い電圧（各機能ブロック１１，１２がスタンバイ状態である電圧）とする。
今、機能ブロック１１が高速動作をし、機能ブロック１２が低速動作をする場合は、機能ブロック１１から当該機能ブロック１１が高速状態であることを示す動作制御信号ＣＯＮＴ１が、電圧切換制御手段１０へ入力されてＳＷ１だけが閉じる。これにより、機能ブロック１１には電源電圧Ｖｄ１が供給される。又、機能ブロック１２については、当該機能ブロック１２から当該機能ブロック１２が低速状態を示す制御信号ＣＯＮＴ２が、同様に電圧切換制御手段１０へ入力されてＳＷ２だけが閉じ、当該機能ブロック１２には電源電圧Ｖｄ２が供給されることになる。つまり、機能ブロック１１，１２共に、動作状態に応じた電源電圧が電圧切換制御手段１０から供給されることで、それぞれの機能ブロック１１，１２は、最適な動作電流で動作可能となる。
【００４３】
また、機能ブロック１１が高速動作をし、機能ブロック１２がスタンバイ状態の場合は、先の機能ブロック１１には電源電圧Ｖｄ１が供給され、機能ブロック１２については当該機能ブロック１２から当該ブロック１２がスタンバイ状態であることを示す動作制御信号ＣＯＮＴ２が電圧切換制御手段１０へ入力されてＳＷ３だけが閉じ、これによって機能ブロック１２にはＶｄ３が供給されることになる。つまり機能ブロック１２は、電圧の低いＶｄ３が供給されることで、スタンバイリーク電流の少ない状態にできる。
【００４４】
このように、本発明では、ＬＳＩチップの中にいくつかの機能ブロック１１，１２が存在し、その各機能ブロック１１，１２がそれぞれ異なった電源電圧で動作する場合、任意の動作制御信号によって各機能ブロックへ供給される電源電圧を電圧切換制御手段１０で切り換えることで、各機能ブロック１１，１２の動作電流の最適化とスタンバイ時のリーク電流の削減が可能となる。
【００４５】
（第２の実施形態）
次に、本発明の第２の実施形態を図４に基づいて説明する。
ここで、前述した第１実施形態と同一の構成部分については同一の符号を用いるものとする。
上記図４において、半導体集積回路装置３は、ＬＳＩチップから成り、各種演算機能を実行する集積回路から成る二つの機能ブロック１１，１２と、この各機能ブロック１１，１２が必要とする動作電圧の電源を予め準備された電源配線ＶＤＤ１〜ＶＤＤ３から一の電源配線を選択し接続する電圧切換制御手段１０と、この電圧切換制御手段１０の電源入力側に装備され単一電圧の電源回路から前述した三つの電源配線ＶＤＤ１〜ＶＤＤ３に対応した電源電圧Ｖｄ１，Ｖｄ２，Ｖｄ３を分岐し生成して出力する電源電圧生成回路２０とを備えている。
【００４６】
このため、電源配線ＶＤＤ１〜ＶＤＤ３は、機能ブロック１１，１２が必要とする少なくとも三つの異なった電源電圧Ｖｄ１，Ｖｄ２，Ｖｄ３を供給し得るようになっている。又、前述した電圧切換制御手段１０は、第１の実施形態（図１）の場合と同様に、各機能ブロック１１，１２から送り込まれる切換え制御信号ＣＯＮＴ１，ＣＯＮＴ２に付勢されて動作するように構成されている。
そして、各機能ブロック１１，１２は、前述した第１の実施形態の場合と同様に、自ら必要とする電源電圧にかかる切換え制御信号ＣＯＮＴ１，ＣＯＮＴ２をそれぞれ生成して前述した電圧切換制御手段１０に送り込む制御信号出力機能を有する。記号Ｃ１，Ｃ２は切換え制御信号ＣＯＮＴ１，ＣＯＮＴ２を出力する出力端子を示す。
【００４７】
又、電源電圧生成回路２０は、前述したように、電圧切換制御手段１０の電源入力側に装備され、外部から送り込まれる単一の電源電圧ＶGを電圧値の異なった複数（本実施形態では三つ）の電源電圧Ｖｄ１，Ｖｄ２，Ｖｄ３に分圧すると共にこの分圧し生成した電圧値の異なる複数の電源電圧Ｖｄ１〜Ｖｄ３を複数の各電源配線ＶＤＤ１〜ＶＤＤ３を介して出力する複数電圧出力機能を備えている。
【００４８】
ここで、前述した各機能ブロック１１，１２は、電源電圧生成回路２０が単一の電源電圧ＶGを複数の電源電圧Ｖｄ１〜Ｖｄ３に分圧するに際し、所望する電源電圧にかかる電圧設定制御信号を分圧制御信号ＣＯＮＴ３，ＣＯＮＴ４として送り込む分圧制御信号出力機能を備えている。
【００４９】
そして、前記電源電圧生成回路２０は、各機能ブロック１１，１２から送り込まれる分圧制御信号ＣＯＮＴ３，ＣＯＮＴ４に基づいて作動し前記各機能ブロック１１，１２が必要とする電源電圧を含む前述した三つの電源電圧Ｖｄ１，Ｖｄ２，Ｖｄ３を分圧生成して対応する複数（本実施形態では三つ）の電源配線ＶＤＤ１〜ＶＤＤ３を介して前述した電圧切換制御手段１０に送り込む複数電圧出力機能を備えている。
その他の構成およびその動作，機能は、前述した第１の実施形態の場合と同一となっている。
【００５０】
次に、上記第２の実施形態の動作，機能および効果等を説明する。
この第２の実施形態は、前述した第１実施形態の場合と同様に、まず、各機能ブロック１１，１２は、自らが必要とする電源電圧を電圧切換制御手段１０から入力するために、上述したように切換え制御信号ＣＯＮＴ１，ＣＯＮＴ２を生成し、制御信号出力機能を作動させて当該切換え制御信号ＣＯＮＴ１，ＣＯＮＴ２を前述した電圧切換制御手段１０に送り込む（電源電圧特定工程，第１の工程）。
【００５１】
続いて、電圧切換制御手段１０では、各機能ブロック１１，１２から送り込まれる切換え制御信号ＣＯＮＴ１，ＣＯＮＴ２，に基づいて作動し各機能ブロック１１，１２が必要とする電圧の電源配線ＶＤＤ１，ＶＤＤ２を当該各機能ブロック１１，１２に選択接続すし（電源切換接続工程，第２の工程）、これによって、当該各機能ブロック１１，１２にとって必要な電源電圧Ｖｄ１，Ｖｄ２の供給回路が設定される。
【００５２】
ここで、上記第２の実施形態では、前述した第１の工程に先立って、外部から送り込まれる単一の電源電圧ＶGを電源電圧生成回路２０によって複数の機能ブロック１１，１２の電源用として電圧値の異なった複数の電源電圧Ｖｄ１，Ｖｄ２，Ｖｄ３に分圧すると共に当該複数の電源電圧Ｖｄ１〜Ｖｄ３を複数の各電源配線ＶＤＤ１〜ＶＤＤ３を介して出力する工程（電源電圧分圧工程）が実行される。
【００５３】
これを更に詳述すると、前述した第１の工程に先立って、各機能ブロック１１，１２は、まず、電源電圧生成回路２０による電源分圧動作に際して、所望する電源電圧にかかる電圧設定制御信号を分圧制御信号ＣＯＮＴ３，ＣＯＮＴ４として前記電源電圧生成回路２０に送り込む（分圧制御信号出力工程）。続いて、この分圧制御信号ＣＯＮＴ３，ＣＯＮＴ４を入力した電源電圧生成回路２０は、直ちに作動し、外部から送り込まれる単一の電源電圧ＶGを前述した各機能ブロック１１，１２が必要とする複数（本実施形態では三つ）の電源電圧Ｖｄ１，Ｖｄ２，Ｖｄ３に分圧し対応する各電源配線ＶＤＤ１〜ＶＤＤ３を介して個別に前記電圧切換制御手段１０に送り込む（電源電圧分圧工程）。
その他の動作，機能および効果等については前述した第１の実施形態と同一となっている。
【００５４】
ここで、上述した各機能ブロック１１，１２が実行する分圧制御信号ＣＯＮＴ３，ＣＯＮＴ４についての分圧制御信号生成処理、この生成された分圧制御信号を電源電圧生成回路２０に送り込む分圧制御信号伝送処理、及びこの分圧制御信号に基づいて電源電圧生成回路２０が作動し単一の電源電圧を各機能ブロック１１，１２に対応した複数の電源電圧に変換し電圧切換制御手段１０に送り込む電源電圧分圧処理については、これをプログラム化してコンピュータに実行させるように構成してもよい。
【００５５】
このように、本第２の実施形態によると、前述した第１の実施形態と同等の作用効果を有するほか、更に、単一の電源電圧ＶGだけの環境下にあっても、電源電圧生成回路２０が機能して各機能ブロック１１，１２で必要とする電源電圧Ｖｄ１，Ｖｄ２を有効に且つ確実に供給し得るという他に例の見られない優れた利点がある。
【００５６】
〔第３の実施形態〕
次に、本発明の第３実施形態を図５に基づいて説明する。
ここで、前述した第２実施形態（図４参照）と同一の構成部分については同一の符号を用いるものとする。
【００５７】
上記図５において、半導体集積回路装置４は、前述した半導体集積回路装置３の場合と同様に、ＬＳＩチップから成り、各種演算機能を実行する集積回路から成る二つの機能ブロック１１，１２と、この各機能ブロック１１，１２が必要とする動作電圧の電源を予め準備された電源配線ＶＤＤ１〜ＶＤＤ３から一の電源配線を選択し接続する電圧切換制御手段１０と、この電圧切換制御手段１０の電源入力側に装備され単一電圧の電源回路から前述した三つの電源配線ＶＤＤ１〜ＶＤＤ３を分岐生成して出力する機能（複数電圧出力機能）を有する電源電圧生成回路２０とを備えている。
【００５８】
そして、この第３の実施形態では、電圧切換制御手段１０の動作制御信号としての切換え制御信号ＣＯＮＴ１，ＣＯＮＴ２、および電源電圧生成回路２０の動作制御信号としての分圧制御信号ＣＯＮＴ３，ＣＯＮＴ４を、それぞれ外部から入力するという構成を採っている。
【００５９】
即ち、この図５に示す半導体集積回路装置４は、前述した半導体集積回路装置３（図４参照）における電圧切換制御手段１０用の動作制御信号としての複数の切換え制御信号ＣＯＮＴ１，ＣＯＮＴ２を、又電源電圧生成回路２０の動作制御信号としての分圧制御信号ＣＯＮＴ３，ＣＯＮＴ４を、それぞれ各機能ブロック１１，１２で生成するのではなく（各機能ブロック１１，１２が有する分圧制御信号出力機能に代えて）、半導体集積回路装置４に予め併設された制御信号入力手段４Ａを介して外部から入力するように構成とした点に特徴を有する。その他の構成およびその機能，動作等は、前述した図４における半導体集積回路装置３の場合と同一となっている。
【００６０】
次に、上記第３実施形態の動作，機能および効果等を説明する。
この第３の実施形態は、前述した第２実施形態の場合と同様に、まず、各機能ブロック１１，１２は、自らが必要とする電源電圧を電圧切換制御手段１０から入力するために、上述したように制御信号入力手段４Ａを介して外部で生成された切換え制御信号ＣＯＮＴ１，ＣＯＮＴ２を入力し、前述した電圧切換制御手段１０に送り込む（電源電圧特定工程，第１の工程）。
【００６１】
続いて、電圧切換制御手段１０では、この外部入力された各切換え制御信号ＣＯＮＴ１，ＣＯＮＴ２，に基づいて作動し各機能ブロック１１，１２が必要とする電圧の電源配線ＶＤＤ１〜ＶＤＤ３を当該各機能ブロック１１，１２に選択接続し（電源切換接続工程，第２の工程）、これによって、当該各機能ブロック１１，１２にとって必要とする電源電圧Ｖｄ１，Ｖｄ２の供給回路が設定される。
【００６２】
一方、上述した第１の工程に先立って、外部から送り込まれる単一の電源電圧ＶＧを電源電圧生成回路２０によって複数の機能ブロック１１，１２の電源用として電圧値の異なった複数の電源電圧Ｖｄ１，Ｖｄ２，Ｖｄ３に分圧すると共に当該複数の電源電圧Ｖｄ１〜Ｖｄ３を複数の各電源配線ＶＤＤ１〜ＶＤＤ３を介して出力する工程（電源電圧分圧工程）が実行される。
これを更に詳述すると、前述した第１の工程に先立って成される電源電圧生成回路２０による電源分圧動作に際しては、各機能ブロック１１，１２が所望する電源電圧にかかる電圧設定制御信号を分圧制御信号ＣＯＮＴ３，ＣＯＮＴ４として外部から入力し前述した電源電圧生成回路２０に送り込む（分圧制御信号入力工程）。
【００６３】
続いて、この分圧制御信号ＣＯＮＴ３，ＣＯＮＴ４を入力した電源電圧生成回路２０は、直ちに作動し、外部から送り込まれる単一の電源電圧ＶGを前述した各機能ブロック１１，１２が必要とする複数（本実施形態では三つ）の電源電圧Ｖｄ１，Ｖｄ２，Ｖｄ３に分圧し対応する各電源配線ＶＤＤ１〜ＶＤＤ３を介して個別に前記電圧切換制御手段１０に送り込む（電源電圧分圧工程）。
その他の動作，機能および効果等については前述した第２の実施形態と同一となっている。
【００６４】
ここで、上述した各構成要素が実行する機能、例えば、電源電圧生成回路用の分圧制御信号を外部入力し保持する分圧制御信号入力処理、この入力された分圧制御信号を電源電圧生成回路に送り込む分圧制御信号伝送処理、およびこの分圧制御信号に基づいて電源電圧生成回路２０を作動させて単一の電源電圧を各機能ブロック１１，１２に対応した複数の電源電圧に変換し電圧切換制御手段１０に送り込む電源電圧分圧処理については、これをプログラム化してコンピュータに実行させるように構成してもよい。
【００６５】
このようにしても前述した第２の実施形態（図４）に示す半導体集積回路装置３と同等の作用効果を備えた半導体集積回路装置４を得ることができるほか、更に、動作制御信号としての複数の切換え制御信号ＣＯＮＴ１，ＣＯＮＴ２および分圧制御信号ＣＯＮＴ３，ＣＯＮＴ４を外部操作によって自在に可変設定し得るので、周囲の使用環境に合わせて最適な動作電圧の変更設定が可能となり、汎用性を更により一層高めることができるという利点がある。
【００６６】
このように、上述した各実施形態にあっては、ＬＳＩチップの中にいくつかの機能ブロック１１，１２が存在し、各機能ブロック１１，１２がそれぞれ異なった電源電圧Ｖｄ１，Ｖｄ２又はＶｄ３で動作する場合、任意の制御信号によって、各機能ブロック１１，１２へ供給される電源電圧Ｖｄ１，Ｖｄ２又はＶｄ３を電圧切換制御手段１０で任意に切り換えることができるという利点がある。
【００６７】
ここで上記各実施形態にあっては、各半導体集積回路装置１〜４はそれぞれ２個の機能ブロック１１，１２を装備した場合を例示したが、この機能ブロックについては３個以上であってもよい。又、この各機能ブロック１１，１２が必要とする電源電圧を上記各実施形態では三本の電源配線ＶＤＤ１〜ＶＤＤ３を介して三種類の電源電圧Ｖｄ１，Ｖｄ２，Ｖｄ３を供給する場合を例示したが、二種類でも或いは四種類以上であってもよい。又、電源配線については四本以上であってもよい。
【図面の簡単な説明】
【００６８】
【図１】本発明の第１実施形態を示すブロックである。
【図２】図１内における電圧切換制御手段部分の具体例を示す説明図である。
【図３】第１実施形態の変形例を示すブロックである。
【図４】本発明の第２実施形態を示すブロックである。
【図５】本発明の第３実施形態を示すブロックである。
【図６】従来例を示すブロックである。
【符号の説明】
【００６９】
１，２，３，４  半導体集積回路装置
１０  電圧切換制御手段
１１，１２  機能ブロック
１１Ａ，１２Ａ  切換え制御部
１１Ｂ，１２Ｂ  配線分岐回路としての切換えスイッチ回路
ＣＯＮＴ１，ＣＯＮＴ２  電圧設定制御信号としての切換え制御信号
ＣＯＮＴ３，ＣＯＮＴ４  電圧設定制御信号としての分圧制御信号
ＶＤＤ１，ＶＤＤ２，ＶＤＤ３電源配線
Ｖｄ１，Ｖｄ２，Ｖｄ３電源電圧
【図１】
2007194456.tif 000003
【図２】
2007194456.tif 000004
【図３】
2007194456.tif 000005
【図４】
2007194456.tif 000006
【図５】
2007194456.tif 000007
【図６】
2007194456.tif 000008